(57)【要約】【課題】通行人が間仕切りを通じて移動する場合でも当該間仕切りの手前側と向こう側とでの空気の流出入を可及的抑制し、且つ、間仕切りによる区画を解消する場合でも収納場所に困らない間仕切りカーテンを提供する。【解決手段】本実施形態に係る間仕切りカーテン１によれば、帯状布体１０Ａ，１０Ｂによりカーテン本体４が形成されている。また、互いに隣り合う帯状布体１０Ａ，１０Ｂ同士が重なり合った状態にあるので、当該帯状布体１０Ａ，１０Ｂ間の隙間（スリット）は重なり合っている部分によって覆われることとなり、これによって、当該隙間からの暖気や冷気の漏れを防止することができると共に、光や視線の入り込みも防止することができる。また、当該開口面Ｅを通過する通行人も各帯状布体１０Ａ，１０Ｂを押し動かす等して容易に開口面Ｅを通過することができる。【選択図】図１
2014031692.tif 000002
【特許請求の範囲】
【請求項１】
居住空間に設けられる開口面の上縁部に沿って水平状に延在するレールと、
該レールに案内されて前記レールの長手方向に摺動する摺動手段と、
該摺動手段に着脱可能に懸架されるカーテン本体と、を備え、
該カーテン本体は、前記開口面の上下方向に延在する複数の帯状布体を備え、
該複数の帯状布体は、側縁部を互いに重ね合わせた状態で摺動手段に保持されている
ことを特徴とする間仕切りカーテン。
【請求項２】
隣り合う帯状布体は、互いに重なり合う側縁部のうち、上端部同士が開閉不能に固定されている
ことを特徴とする請求項１に記載の間仕切りカーテン。
【請求項３】
前記摺動手段は、前記レールに嵌合して当該レールの長手方向に移動するランナーと、前記カーテン本体の上端部に係止されると共に前記ランナーに吊り下げられる複数個のフックとを備え、
前記カーテン本体の上端部には、前記カーテン本体の幅方向に延在して前記複数のフックを覆うシート状のカバー部材を備えている
ことを特徴とする請求項１又は請求項２に記載の間仕切りカーテン。
【請求項４】
前記カーテン本体を複数備え、
各カーテン本体の上端部の側縁部には、隣り合うカーテン本体の上端部の側縁部に着脱自在な連結部が設けられている
ことを特徴とする請求項１〜３のいずれか一項に記載の間仕切りカーテン。
【請求項５】
前記開口面の一方の側縁部側には、当該開口面に交差する他の開口面が設けられており、
前記レールは、前記開口面と前記他の開口面の上端部に沿ってそれぞれ延在する一対の直線部と、これら一対の直線部間を連結する屈曲部とを備えている
ことを特徴とする請求項１〜４のいずれか一項に記載の間仕切りカーテン。
【請求項６】
前記居住空間には下階へ通じる下り階段が設けられ、
該下り階段は、前記開口面の一部を降口とすると共に、少なくとも一方の側面が腰高程度の高さを有する腰壁で区画されており、
前記レールは、前記開口面の一方の側縁部から少なくとも前記階段の前記降口まで延在する第１レールと、前記第１レールと始端部を同じくして、前記降口の手前で屈曲して前記下り階段の一方の側面の終端部まで延在する第２レールとを備えている
ことを特徴とする請求項１〜５のいずれか一項に記載の間仕切りカーテン。
【請求項７】
前記開口面の側縁部には、前記カーテン本体を収容する収容部が設けられており、該収容部には、係合長さを調節自在とするタッセルが設けられている
ことを特徴とする請求項４〜６のいずれか一項に記載の間仕切りカーテン。
【発明の詳細な説明】
【技術分野】
【０００１】
本発明は、建物の居住空間に対する機能的な要求の変化に対応して間取りを変更し得る間仕切りカーテンに関するものである。
【背景技術】
【０００２】
近年、廊下等の通路部分が少ない、あるいは、階段がリビング空間に設置されているような大空間内にいくつかの要素を設けた（ワンルーム空間的な）住宅が散見される。このような住宅の利点としては、敷地の大きさに対してリビング空間等の主空間を大きくすることができる点や、住人間の交流を促進することができる等の点が挙げられる。
【０００３】
一方で、大空間であるがゆえに気積が大きく、空調にコストが掛かってしまうという問題や、階段を通じて、冬季はコールドドラフトが発生したり、エアコン使用時には暖気冷気が流れてしまったりするという問題がある。また、あまり使っていない空間領域に対しても空調する必要が生じることにより、エアコン負荷がかかってしまうこととなり、不経済である。従って、当該大空間を用途に応じて区画し、且つ、当該区画を自在に開閉できる構成が望まれる。
【０００４】
かかる問題を解決すべく、例えば特許文献１には、「上下横枠体と竪枠体とにより形成される開口部に設けられる複数の仕切部材の幅の総和は、開口部の竪枠体間の開口幅よりも大きく設定され、全ての仕切部材の上縁端部及び下縁端部を同一の線状ガイド部に係合して連設した際に隣設される一方の仕切部材の嵌合部を他方の仕切部材の側縁端部よりも幅方向内側にオーバーラップさせることにより連設状態の仕切部材の総幅員が竪枠体間の開口幅と略同一となって仕切壁を構成する」ことが可能な間仕切り構造が開示されている。
【先行技術文献】
【特許文献】
【０００５】
【特許文献１】特開２００６−８９９６６号公報
【発明の概要】
【発明が解決しようとする課題】
【０００６】
しかしながら、当該特許文献１の間仕切り構造は、仕切部材を開閉させなければ当該間仕切りの手前側から向こう側に移動することができず、その際に空気が流出入して冷暖房効果が減じられてしまうことが考えられる。また、仕切り部材による区画を解消する場合には当該仕切り部材の格納のための一定のスペースが必要である。しかし、このような住宅が都市部の狭小敷地に多いことを鑑みると、そのためのスペースを確保することや当該確保のための設計などを行うことは困難である。
【０００７】
上記のことを解決するために、本発明者らは、間仕切りが建具や家具ではなく、布のカーテンとすることが望ましいことを見出した。すなわち、カーテンであれば、格納スペースは比較的少なくて済む。また、春秋の過ごしやすい期間は取り外してしまっておくことも可能である。また、暖気冷気の流れを逃がさないことを配慮した場合、カーテンの出入りの際にカーテン自身を開閉しない暖簾のような構造が望ましい。更に、暖簾とは異なり、スリット部に重ね代を設けることで、カーテン間を気流が通過しづらくすることも可能となる。
【０００８】
また、カーテンを分割、連結可能とする場合、冷暖房の効率化を考慮した場合、エアコンなどを使う空間を仕切るために、その被分割空間がすべて間仕切れるカーテンが必要であるが、例えば、階段からのコールドドラフト防止のためであれば、降口のみ間仕切れればよいので、全部を仕切る必要が無くなる。
【０００９】
そこで、本発明は、通行人が間仕切りを通じて移動する場合でも当該間仕切りの手前側と向こう側とでの空気の流出入を可及的抑制し、且つ、間仕切りによる区画を解消する場合でも収納場所に困らない（すなわち、容易に収納できる、収納スペースを可及的小さなものとすることができる）間仕切りカーテンを提供することを目的とする。
【課題を解決するための手段】
【００１０】
本発明に係る間仕切りカーテンは、居住空間に設けられる開口面の上縁部に沿って水平状に延在するレールと、該レールに案内されてレールの長手方向に摺動する摺動手段と、該摺動手段に着脱可能に懸架されるカーテン本体と、を備え、該カーテン本体は、開口面の上下方向に延在する複数の帯状布体を備え、該複数の帯状布体は、側縁部を互いに重ね合わせた状態で摺動手段に保持されていることを特徴とする。
【００１１】
本発明に係る間仕切りカーテンによれば、帯状布体によりカーテン本体が形成されているので、布のカーテンであれば、格納スペースは比較的少なくて済む。また、春秋の過ごしやすい期間は取り外してしまっておくことも可能である。また、かかるカーテンの如き構成により間仕切りを形成するものの、区画した領域の暖気/冷気を逃がさないことを配慮すると、開口面を通過する度にカーテン本体を引いてしまわないことが望ましい。かかる観点から、本発明は、互いに隣り合う帯状布体同士が重なり合った状態にあるので、当該帯状布体間の隙間（スリット）は重なり合っている部分によって覆われることとなり、これによって、当該隙間からの暖気や冷気の漏れを防止することができると共に、光や視線の入り込みも防止することができる。また、帯状布体はそれぞれが独立して動くことが可能となっているので、当該開口面を通過する通行人も各帯状布体を押し動かす等して容易に開口面を通過することができる。
【００１２】
また、本発明に係る間仕切りカーテンにおいて、隣り合う帯状布体は、互いに重なり合う側縁部のうち、上端部同士が開閉不能に固定されていることが好ましい。これによれば、帯状布体の上端部が互いに連結された状態となるので、その分だけ当該帯状布体間のスリットの開放面積を小さくすることができ、スリットを通じて通行人が出入りする際の空気の流出入をさらに抑制することができるものとなっている。加えて、帯状布体自体が開きにくくなり、帯状布体同士が重なっている状態を維持しやすいものとなっている。
【００１３】
また、本発明に係る間仕切りカーテンにおいて、摺動手段は、レールに嵌合して当該レールの長手方向に移動するランナーと、カーテン本体の上端部に係止されると共にランナーに吊り下げられる複数個のフックとを備え、カーテン本体の上端部には、カーテン本体の幅方向に延在して複数のフックを覆うシート状のカバー部材を備えていることが好ましい。カーテン本体は、開口面を覆う場合には、当該開口面の手前側からでも奥方側からであっても当該カーテン本体を視認することができるものとなるが、フックがカバー部材により覆われることとなるので、当該フックはいずれからも視認不能となり、見栄えを向上させることができるものとなっているのである。
【００１４】
また、本発明に係る間仕切りカーテンにおいて、カーテン本体を複数備え、各カーテン本体の上端部の側縁部には、隣り合うカーテン本体の上端部の側縁部に着脱自在な連結部が設けられていることが好ましい。これによれば、カーテン本体の幅を例えば所定のモジュールに規定して複数備え、隣り合うカーテン本体同士を連結部により連結することにより、１枚の大きなカーテン本体として開口面全体を覆うことができると共に、いくつかのカーテン本体のみを連結することで開口面の一部を覆うことも可能となっている。また、当該連結部は、側縁部の上端部に形成されているので、当該連結部により連結される部位も通行人の移動を許容するスリットとして機能させることができるものとなっているのである。
【００１５】
また、本発明に係る間仕切りカーテンにおいて、開口面の一方の側縁部側には、当該開口面に交差する他の開口面が設けられており、レールは、開口面と他の開口面の上端部に沿ってそれぞれ延在する一対の直線部と、これら一対の直線部間を連結する屈曲部とを備えていることが好ましい。これによれば、レールに沿ってカーテン本体を移動させることにより、当該開口面を覆うことはもちろん、別の開口面を覆うことができ、さらには、これら両方の開口面を覆うことができるものとなっている。一方で、いずれかの開口面の一側方にまとめてカーテン本体を収納することができ、収納スペースの削減も図ることができる。また、両開口面をカーテン本体で覆う場合には、レールの屈曲部の下方にもカーテン本体が位置するものとなるので、当該屈曲部に対向する位置に他の間仕切壁の側縁部等が位置する場合でも、当該間仕切壁の側縁部とカーテン本体との間を通過することができ、これによって、当該カーテン本体で覆われる空間にアクセスすることなく、当該空間により隔絶された両スペースを行き来することができるものとなっている。
【００１６】
また、本発明に係る間仕切りカーテンにおいて、居住空間には下階へ通じる下り階段が設けられ、該下り階段は、開口面の一部を降口とすると共に、少なくとも一方の側面が腰高程度の高さを有する腰壁で区画されており、レールは、開口面の一方の側縁部から少なくとも階段の降口まで延在する第１レールと、第１レールと始端部を同じくして、降口の手前で屈曲して前記下り階段の一方の側面の終端部まで延在する第２レールとを備えていることが好ましい。これによれば、第１レールに沿ってカーテン本体を移動させることにより、当該下り階段の降口をカーテン本体によって塞ぐことができるものとなっている。また、第２レールに沿ってカーテン本体を移動させることにより、腰壁の領域を開口面の上下に亘ってカーテン本体により覆うことができる。これによって、下り階段に臨む空気流通経路をカーテン本体により塞ぐことができ、当該下り階段を通じての暖気や冷気の逃げを抑制することができるものとなっている。
【００１７】
また、本発明に係る間仕切りカーテンにおいて、開口面の側縁部には、カーテン本体を収容する収容部が設けられており、該収容部には、係合長さを調節自在とするタッセルが設けられていることが好ましい。これによれば、カーテンを係留するタッセルが係合長さを調節自在とされているので、当該収容部にすべてのカーテン本体を収容する場合はもちろん、いくつかのカーテン本体のみを収容しておく場合でも、良好に収容部にカーテン本体を係留させておくことができる。
【発明の効果】
【００１８】
本発明によれば、通行人が間仕切りを通じて移動する場合でも当該間仕切りの手前側と向こう側とでの空気の流出入を可及的抑制し、且つ、間仕切りによる区画を解消する場合でも収納場所に困らない。
【図面の簡単な説明】
【００１９】
【図１】本発明の第一実施形態に係る間仕切りカーテンを示す斜視図である。
【図２】本発明の第一実施形態に係る間仕切りカーテンのカーテン本体の上端部の側縁部を示す拡大図である。
【図３】カーテン本体を上方から見た模式図である。
【図４】第一実施形態に係る間仕切りカーテンを居住空間に適用した場合の一例を示す間取り図である。
【図５】タッセルの構成を示す斜視図である。
【図６】第二実施形態に係る間仕切りカーテンを居住空間に適用した場合の一例を示す間取り図である。
【図７】図６に示す間仕切りカーテンの使用態様を示す間取り図である。
【図８】図６に示す間仕切りカーテンの使用態様を示す間取り図である。
【図９】図６に示す間仕切りカーテンの使用態様を示す間取り図である。
【図１０】図６に示す間仕切りカーテンの使用態様を示す間取り図である。
【図１１】図６に示す間仕切りカーテンの使用態様を示す間取り図である。
【図１２】図６に示す間仕切りカーテンの使用態様を示す間取り図である。
【図１３】図６に示す間仕切りカーテンの使用態様を示す間取り図である。
【図１４】第三実施形態に係る間仕切りカーテンを居住空間に適用した場合の一例を示す間取り図である。
【発明を実施するための形態】
【００２０】
以下、本発明の好適な実施形態について、図面を参照しながら説明する。
【００２１】
［第一実施形態］
図１は、本発明の第一実施形態に係る間仕切りカーテン１を示す斜視図である。図２は、本発明の第一実施形態に係る間仕切りカーテン１のカーテン本体４の上端部の側縁部を示す拡大図である。図３は、カーテン本体４を上方から見た模式図である。本実施形態に係る間仕切りカーテン１は、建物の居住空間を用途に応じて仕切って区画することにより、間取りを変更することを可能とするものである。間仕切りカーテン１は、大きな居住空間内において、仕切りたい空間同士の間に設けられる開口面Ｅに設置される。なお、開口面Ｅは居住空間の任意の位置に設定され、具体的な例は後述の使用態様にて詳細に説明する。
【００２２】
図１〜図３に示すように、間仕切りカーテン１は、居住空間に設けられる開口面Ｅの上縁部に沿って水平状に延在するレール２と、該レール２に案内されてレール２の長手方向に摺動する摺動部（摺動手段）３と、該摺動部３に着脱可能に懸架されるカーテン本体４と、を備えている。図１では、柱Ｐ１と柱Ｐ２との間に開口面Ｅ１が設けられ、当該開口面Ｅ１の側縁部側（すなわち、柱Ｐ１側）に、当該開口面Ｅ１と直交する開口面Ｅ２が設けられているものとして、以下の説明を行う。なお、開口面Ｅ１は、柱Ｐ１によって一方の側縁部が規定され、柱Ｐ２によって他方の側縁部が規定され、天井面Ｃによって上端部が規定され、床面Ｆによって下端部が規定されるものとする。また、開口面Ｅ２は、柱Ｐ１によって一方の側縁部が規定され、図示されない柱や壁によって他方の側縁部が規定され、天井面Ｃによって上端部が規定され、床面Ｆによって下端部が規定されるものとする。図１では、開口面Ｅ１を二枚のカーテン本体４で覆ったときの様子を示している。なお、当該開口面Ｅ１の縁部は上記のように規定されるのみならず、本棚等の家具の側縁部や上縁部、手摺等の立上りの上端部等によって規定することができる。
【００２３】
レール２は、天井面ＣＦに設けられており、開口面Ｅ１，Ｅ２の上縁部付近に当該各上端部に沿って設けられている。レール２は、間仕切りカーテン１で仕切りたい部分の位置や大きさに合わせて任意に設定することができる。図１に示す例では、レール２は、開口面Ｅ１と開口面Ｅ２との間で直角に屈曲している。レール２は、開口面Ｅ１の上端部に沿って延在する直線部２ａと、開口面Ｅ２の上端部に沿って延在する直線部２ｂと、これら一対の直線部２ａ，２ｂ間を連結する屈曲部２ｃとを備えている。また、摺動部３は、レール２に嵌合して当該レール２の長手方向に移動するランナー６と、カーテン本体４の上端部に係止されると共にランナー６に吊り下げられる複数個のフック７とを備えている。レール２、ランナー６及びフック７は、通常のカーテンで用いられている一般的なものを適用することができる。
【００２４】
カーテン本体４は、開口面Ｅ１，Ｅ２の上下方向に延在する複数の帯状布体１０を備えている。本実施形態では、一枚当たりのカーテン本体４が、並設された二枚の帯状布体１０Ａ，１０Ｂを備えている。カーテン本体４の上端部は、帯状布体１０Ａ，１０Ｂの上端部１０Ａａ，１０Ｂａによって形成され、カーテン本体４の下端部は、帯状布体１０Ａ，１０Ｂの下端部１０Ａｂ，１０Ｂｂによって形成され、カーテン本体４の一方の側縁部は、帯状布体１０Ａの一方の側縁部１０Ａｃによって形成され、カーテン本体４の他方の側縁部は、帯状布体１０Ｂの他方の側縁部１０Ｂｄによって形成される。
【００２５】
隣り合う帯状布体１０Ａ，１０Ｂは、側縁部１０Ａｄ，１０Ｂｃを互いに重ね合わせた状態で摺動部３に保持されている。すなわち、帯状布体１０Ａの他方の側縁部１０Ａｄと帯状布体１０Ｂの一方の側縁部１０Ｂｃとが重ね合されている。空間同士の間の気流を通過しづらくすることができれば、重ね代の大きさは特に限定されないが、例えば３０〜１００ｍｍ程度に設定することが好ましい。隣り合う帯状布体１０Ａ，１０Ｂは、互いに重なり合う側縁部１０Ａｄ，１０Ｂｃのうち、上端部１０Ａａ，１０Ｂａ同士が開閉不能に固定されている。具体的には、側縁部１０Ａｄ，１０Ｂｃの上端部１０Ａａ，１０Ｂａ付近の縫付領域ＦＡにて、当該側縁部１０Ａｄと側縁部１０Ｂｃとが縫い付けられて固定されている。一方、縫付領域ＦＡよりも下側の領域は、固定されることなく単に重ね合わせられたスリットとして構成され、気流を通過し難くすると共に通行人が通過できる。
【００２６】
図２及び図３に示すように、帯状布体１０Ａ，１０Ｂは、上端部１０Ａａ，１０Ｂａにて摺動部３に保持されている。帯状布体１０Ａ，１０Ｂの上端部１０Ａａ，１０Ｂａには、フック７が所定のピッチにて取り付けられている。フック７は、帯状布体１０Ａ，１０Ｂの上端部１０Ａａ，１０Ｂａのうち、一方の面に取り付けられる。当該面ではフック７が露出しているため、当該フック７を隠すために、帯状布体１０Ａ，１０Ｂの上端部１０Ａａ，１０Ｂａには、カーテン本体４の幅方向に延在して複数のフック７を覆うシート状のカバー部材１１が設けられている。カバー部材１１は、カーテン本体４と同様な布で構成されている。カバー部材１１の長さは、カーテン本体４の幅方向の大きさと略同一に設定されている。カバー部材１１の上下方向の大きさは、フック７の全長を覆う程度の大きさに設定されている。カバー部材１１は、所定のピッチで形成される縫付部１２にて、カーテン本体４に固定される。カーテン本体４の帯状布体１０Ａの側縁部１０Ａｃ側では、当該側縁部１０Ａｃとカバー部材１１の側縁部１１ａとに縫付部１２が形成されているため、カーテン本体４とカバー部材１１とは開くことなく固定された状態となっている。一方、カーテン本体４の帯状布体１０Ｂの側縁部１０Ｂｄ側では、当該側縁部１０Ｂｄとカバー部材１１の側縁部１１ｂから離間した位置に縫付部１２が形成されているため、カーテン本体４とカバー部材１１とが開いた状態となっている。
【００２７】
互いに隣り合うカーテン本体４同士は、着脱可能に連結されている。具体的には、カーテン本体４の上端部１０Ａａの側縁部１０Ａｃには、隣り合うカーテン本体４の上端部１０Ｂａの側縁部１０Ｂｄに着脱自在な面ファスナーテープ（連結部）１３Ａが設けられている。面ファスナーテープとして、マジックテープ（登録商標）を適用することができる。当該面ファスナーテープ１３Ａは、カーテン本体４の外面４ａに、側縁部１０Ａｃに沿って上下方向に延びるように設けられる。一方、カーテン本体４の上端部１０Ｂａの側縁部１０Ｂｄには、隣り合うカーテン本体４の上端部１０Ａａの側縁部１０Ａｃに着脱自在な面ファスナーテープ（連結部）１３Ｂが設けられている。当該面ファスナーテープ１３Ｂは、カーテン本体４の内面４ｂに、側縁部１０Ｂｄに沿って上下方向に延びるように設けられる。面ファスナーテープ１３Ａ，１３Ｂの上下方向の大きさは、帯状布体１０Ａ，１０Ｂを固定する縫付領域ＦＡと略同じ大きさに設定することが望ましい。
【００２８】
互いに隣り合うカバー部材１１同士も、着脱可能に連結されている。カバー部材１１の側縁部１１ａには、隣り合うカーテン本体４に取り付けられたカバー部材１１の側縁部１１ｂに着脱自在な面ファスナーテープ１４Ａが設けられている。当該面ファスナーテープ１４Ａは、カバー部材１１の外面１１ｃに、側縁部１１ａに沿って上下方向に延びるように設けられる。一方、カバー部材１１の側縁部１１ｂには、隣り合うカーテン本体４に取り付けられたカバー部材１１の側縁部１１ａに着脱自在な面ファスナーテープ１４Ｂが設けられている。当該面ファスナーテープ１４Ｂは、カバー部材１１の外面１１ｄに、側縁部１１ｂに沿って上下方向に延びるように設けられる。
【００２９】
このような連結構造により、互いに隣り合うカバー部材１１を連結する際は、一方のカーテン本体４の側縁部１０Ｂｄとカバー部材１１の側縁部１１ｂとを開いた状態として、他方のカーテン本体４の側縁部１０Ａｃ及びカバー部材１１の側縁部１１ａを挟み込む。一方のカーテン本体４の側縁部１０Ｂｄの面ファスナーテープ１３Ｂを他方のカーテン本体４の側縁部１０Ａｃの面ファスナーテープ１３Ａに接合し、一方のカバー部材１１の側縁部１１ｂの面ファスナーテープ１４Ｂを他方のカバー部材１１の側縁部１１ａの面ファスナーテープ１４Ａに接合する。以上によって、一方のカーテン本体４及びカバー部材１１が、他方のカーテン本体４及びカバー部材１１と連結される。このような連結構造では、カーテン同士を二重で止める構造となるので、連結強度を増加させることができる。また、重ね代を確保することにより、気流を通過し難くすると共に通行人が通過できる構造とすることができる。なお、連結部１３Ａ，１３Ｂとしては、上記面ファスナーテープ以外にも、ボタンやチャック、フック、磁石、粘着テープ等といった、着脱可能な様々な連結方式を採用することができるものとなっている。
【００３０】
上述の間仕切りカーテン１の作用・効果について説明をする。
【００３１】
本実施形態に係る間仕切りカーテン１によれば、帯状布体１０Ａ，１０Ｂによりカーテン本体４が形成されている。例えば、間仕切り用の板材を適用する場合は不使用時の収納スペースの問題があるが、布のカーテンであれば、格納スペースは比較的少なくて済む。また、春秋の過ごしやすい期間は取り外してしまっておくことも可能である。また、かかるカーテンの如き構成により間仕切りを形成するものの、区画した領域の暖気/冷気を逃がさないことを配慮すると、開口面Ｅを通行人が通過する度にカーテン本体４を引いてしまわないことが望ましい。これに対し、本実施形態では、互いに隣り合う帯状布体１０Ａ，１０Ｂ同士が重なり合った状態にあるので、当該帯状布体１０Ａ，１０Ｂ間の隙間（スリット）は重なり合っている部分によって覆われることとなり、これによって、当該隙間からの暖気や冷気の漏れを防止することができると共に、光や視線の入り込みも防止することができる。また、帯状布体１０Ａ，１０Ｂはそれぞれが独立して動くことが可能となっているので、当該開口面Ｅを通過する通行人も各帯状布体１０Ａ，１０Ｂを押し動かす等して容易に開口面Ｅを通過することができる。また、隣り合う帯状布体１０Ａ，１０Ｂの重ね代の開き高さが抑えられるので、これによって、室内の気流等による当該帯状布体１０Ａ，１０Ｂの揺れを抑制し、重ね代同士が重なっている状態を維持しやすいものとなっているのである。
【００３２】
また、本実施形態に係る間仕切りカーテン１において、隣り合う帯状布体１０Ａ，１０Ｂは、互いに重なり合う側縁部１０Ａｄ，１０Ｂｃのうち、上端部同士が縫付領域ＦＡにて開閉不能に固定されている。これによれば、帯状布体１０Ａ，１０Ｂの上端部１０Ａａ，１０Ｂａが互いに連結された状態となるので、その分だけ当該帯状布体１０Ａ，１０Ｂ間のスリットの開放面積を小さくすることができ、スリットを通じて通行人が出入りする際の空気の流出入をさらに抑制することができるものとなっている。加えて、帯状布体１０Ａ，１０Ｂ自体が開きにくくなり、帯状布体１０Ａ，１０Ｂ同士が重なっている状態を維持しやすいものとなっているのである。
【００３３】
また、本実施形態に係る間仕切りカーテン１において、摺動部３は、レール２に嵌合して当該レール２の長手方向に移動するランナー６と、カーテン本体４の上端部１０Ａａ，１０Ｂａに係止されると共にランナー６に吊り下げられる複数個のフック７とを備えている。また、カーテン本体４の上端部１０Ａａ，１０Ｂａには、カーテン本体４の幅方向に延在して複数のフック７を覆うシート状のカバー部材１１を備えている。カーテン本体４は、開口面Ｅを覆う場合には、当該開口面Ｅの手前側からでも奥方側からであっても当該カーテン本体４を視認することができるものとなるが、フック７がカバー部材１１により覆われることとなるので、当該フック７はいずれからも視認不能となり、見栄えを向上させることができるものとなっているのである。
【００３４】
また、本実施形態に係る間仕切りカーテン１において、カーテン本体４を複数備え、各カーテン本体４の上端部の側縁部には、隣り合うカーテン本体４の上端部の側縁部に着脱自在な面ファスナーテープ１３Ａ，１３Ｂが設けられている。これによれば、カーテン本体４の幅を例えば所定のモジュールに規定して複数備え、隣り合うカーテン本体４同士を面ファスナーテープ１３Ａ，１３Ｂにより連結することにより、１枚の大きなカーテン本体４として開口面Ｅ全体を覆うことができると共に、いくつかのカーテン本体４のみを連結することで開口面Ｅの一部を覆うことも可能となっている。また、当該面ファスナーテープ１３Ａ，１３Ｂは、側縁部の上端部に形成されているので、当該面ファスナーテープ１３Ａ，１３Ｂにより連結される部位も通行人の移動を許容するスリットとして機能させることができるものとなっているのである。
【００３５】
また、本実施形態に係る間仕切りカーテン１において、レール２は、開口面Ｅ１と他の開口面Ｅ２の上端部に沿ってそれぞれ延在する一対の直線部２ａ，２ｂと、これら一対の直線部２ａ，２ｂ間を連結する屈曲部２ｃとを備えている。これによれば、レール２に沿ってカーテン本体４を移動させることにより、当該開口面Ｅ１を覆うことはもちろん、別の開口面Ｅ２を覆うことができ、更には、これら両方の開口面Ｅ１，Ｅ２を覆うことができるものとなっている。一方で、いずれかの開口面Ｅ１，Ｅ２の一側方にまとめてカーテン本体４を収納することができ、収納スペースの削減も図ることができる。また、両開口面Ｅ１，Ｅ２をカーテン本体４で覆う場合には、レール２の屈曲部２ｃの下方にもカーテン本体４が位置するものとなるので、当該屈曲部２ｃに対向する位置に他の間仕切壁の側縁部等が位置する場合でも、当該間仕切壁の側縁部とカーテン本体４との間を通過することができ、これによって、当該カーテン本体４で覆われる空間にアクセスすることなく、当該空間により隔絶された両スペースを行き来することができるものとなっている。
【００３６】
次に、図４を参照して、上述のような構成を有する間仕切りカーテン１を具体的な居住空間に適用した場合の一例について説明する。図４に示す例は、１階の居住空間内に、廊下を介さないリビング階段ＬＳが設けられており、当該リビング階段ＬＳを取り囲むように間仕切りカーテン１が設けられている例である。図４に示すようにリビング階段ＬＳ周辺の空間と、キッチンやリビング等の空間との間には、開口面Ｅ１，Ｅ２が形成されている。当該開口面Ｅ１に対応する位置にレール２の直線部２ａが形成され、開口面Ｅ２に対応する位置にレール２の直線部２ｂが形成され、当該直線部２ａ，２ｂの間にレール２の屈曲部２ｃが形成される。図４では、開口面Ｅ１が一枚のカーテン本体４で覆われ、開口面Ｅ２が４枚のカーテン本体４で覆われている。これにより、リビング階段ＬＳはカーテン本体４で囲まれることとなり、当該リビング階段ＬＳ周辺の空間と、キッチンやリビング等の空間とは、間仕切られる。なお、説明のための模式図であるため、図４ではカーテン本体４がレール２から離間し、カーテン本体４同士の間、カーテン本体４と壁・柱との間に隙間があるように示されているが、実際はこれらの隙間が無いようにカーテン本体４が配置され、カーテン本体４はレール２の真下に配置される。このような構成により、１階の居住空間内の暖房がリビング階段ＬＳを通じて２階に拡散することを防止できる。あるいは、２階からの冷気がリビング階段ＬＳを通じて１階に流れ込むことを防止できる。また、カーテン本体４にはスリットがあるので、カーテン本体４を開閉（レール２に沿ってカーテン本体４全体を移動させることによる開閉）することなしに通行人が出入りすることができるため、通行人の出入り時にも、暖気冷気の通過を最小限に抑えることができる。なお、図４では、１階にてリビング階段ＬＳを囲む間仕切りカーテン１を採用しているが、２階にも同趣旨の構成を有する間仕切りカーテン１を採用してもよい。
【００３７】
また、開口面Ｅ１の側縁部には、各カーテン本体４を収容する収容部１５が設けられており、当該収容部１５には、係合長さを調節自在とするタッセル１６が設けられている。図５（ａ）に示すように、タッセル１６は、壁に設けられた二本の紐体１７で構成されている。通常のカーテンのタッセルは、両端に輪が設けられた一本の紐体で構成され、畳まれたカーテンを束ねて、壁に設けられたフックに両端の輪をかけることにより、カーテンを収容している。しかしながら、本実施形態に係る間仕切りカーテン１では、使用態様によりカーテン本体４の枚数が変化するため、収容部１５に収容しておくカーテン本体４の束の大きさも変化する。従って、通常のタッセルでは、カーテン本体４を最適に束ねることができない。一方、本実施形態に係るタッセル１６は、二本の紐体１７でカーテン本体４を束ねて両紐体１７を結ぶことより、カーテン本体４の束の大きさによらず好適に収容することができる。すなわち、図５（ｂ）〜図５（ｄ）に示すように、使用中のカーテン本体４が少ないほど収容されるカーテン本体４の束は大きくなるが、それに応じて両紐体１７での結び目の位置を変化させることで、カーテン本体４の束を良好にまとめておくことができる。以上のように、カーテンを係留するタッセル１６が係合長さを調節自在とされているので、当該収容部１５にすべてのカーテン本体４を収容する場合はもちろん、いくつかのカーテン本体４のみを収容しておく場合でも、良好に収容部１５にカーテン本体４を係留させておくことができる。
【００３８】
［第二実施形態］
第一実施形態で説明した構成と同様な間仕切りカーテン１を他の居住空間に適用した場合の例を第二実施形態として、図６を参照して説明する。図６に示すように、第二実施形態では、２階の居住空間内において、下り階段ＬＳ周辺の開口面Ｅ１，Ｅ２，Ｅ３をカーテン本体４で覆うことを可能とするために、レール２は、三本の第１レール２Ａと、第２レール２Ｂと、第３レール２Ｃを備えている。図６では、一つの大きな居住空間内に、居間Ｒ１、台所食堂Ｒ２、書斎Ｒ３、下り階段ＬＳが区画されている。下り階段ＬＳは、正面に降口を有し、一方の側面が腰高程度の高さを有する腰壁２１、背面が腰壁２２、他方の側面が腰壁２３で区画されている。書斎Ｒ３は、腰壁２１と当該腰壁２１と対向する壁部２４との間に区画される。開口面Ｅ１は、居間Ｒ１と他の空間との間に形成される。開口面Ｅ２は、台所食堂Ｒ２と他の空間との間に形成される。開口面Ｅ３は、下り階段ＬＳの降口及び書斎Ｒ３と他の空間（居間Ｒ１とは反対側の空間）との間に形成される。開口面Ｅ４は、下り階段ＬＳの側面に形成される。
【００３９】
第１レール２Ａは、開口面Ｅ３の壁部２４側の側縁部から少なくとも下り階段ＬＳの降口まで延在する直線部によって構成されている。本実施形態では、第１レール２Ａは、開口面Ｅ３に沿って開口面Ｅ２まで延びている。第２レール２Ｂは、第１レール２Ａと始端部を同じくして、下り階段ＬＳの降口の手前（すなわち腰壁２１の手前）で屈曲して下り階段ＬＳの腰壁２１の終端部まで延在している。第２レール２Ｂは、開口面Ｅ３に沿って壁部２４から腰壁２１まで延びる直線部２Ｂａと、当該直線部２Ｂａと直交し開口面Ｅ４に沿って延びる直線部２Ｂｂと、当該直線部２Ｂａ，２Ｂｂ間を連結する屈曲部２Ｂｃと、を有している。第３レール２Ｃは、開口面Ｅ１に沿って延びる直線部２ａと、開口面Ｅ２に沿って延びる直線部２Ｃｂと、当該直線部２Ｃａ，２Ｃｂ間を連結する屈曲部２Ｃｃと、を備えている。また、壁部２４には、第１レール２Ａ及び第２レール２Ｂの始端に収容部１５が設けられ、第３レール２Ｃの始端に収容部１５が設けられる。第２実施形態では、収容部１５は、各カーテン本体４を収容しておく開閉蓋付きの箱体によって構成されている。
【００４０】
このように第１レール２Ａ及び第２レール２Ｂを備えることにより、第１レール２Ａに沿ってカーテン本体４を移動させることで、下り階段ＬＳの降口をカーテン本体４によって塞ぐことができるものとなっている。また、第２レール２Ｂに沿ってカーテン本体４を移動させることにより、腰壁２１の領域を開口面Ｅ４の上下に亘ってカーテン本体４により覆うことができる。これによって、下り階段ＬＳに臨む空気流通経路をカーテン本体４により塞ぐことができ、当該下り階段ＬＳを通じての暖気や冷気の逃げを抑制することができるものとなっている。
【００４１】
次に、図７〜図１３を参照して各使用態様の例について説明する。図７に示す使用態様では、第３レール２Ｃの直線部２Ｃａ全体にカーテン本体４を設置することにより、開口面Ｅ１全体をカーテン本体４で覆っている。これにより、居間Ｒ１を他の居住空間から独立分離させることができる。
【００４２】
図８に示す使用態様では、第３レール２Ｃの直線部２Ｃｂ全体にカーテン本体４を設置することにより、開口面Ｅ２全体をカーテン本体４で覆っている。これにより、台所食堂Ｒ２を他の居住空間から独立分離させることができる。
【００４３】
図９に示す使用態様では、第３レール２Ｃの直線部２Ｃａ全体にカーテン本体４を設置することにより、開口面Ｅ１全体をカーテン本体４で覆っている。また、第３レール２Ｃの直線部２Ｃｂ全体にカーテン本体４を設置することにより、開口面Ｅ２全体をカーテン本体４で覆っている。これにより、居間Ｒ１及び台所食堂Ｒ２をそれぞれ他の居住空間から独立分離させることができる。
【００４４】
図１０に示す使用態様では、第１レール２Ａのうち、下り階段ＬＳの降口に対応する位置に設置することにより、開口面Ｅ３のうち降口手前の領域のみをカーテン本体４で覆っている。これにより、コールドドラフトの下降を防止することができる。
【００４５】
図１１に示す使用態様では、第１レール２Ａのうち、下り階段ＬＳの降口に対応する位置及び書斎Ｒ３に対応する位置に設置することにより、開口面Ｅ３のうち降口手前の領域及び書斎Ｒ３に対応する部分をカーテン本体４で覆っている。また、第２レール２Ｂの直線部２Ｂｂ全体にカーテン本体４を設置することにより、開口面Ｅ４全体をカーテン本体４で覆っている。また、第３レール２Ｃの直線部２Ｃａのうち、書斎Ｒ３に対応する位置に設置することにより、開口面Ｅ１のうち書斎Ｒ３に対応する部分をカーテン本体４で覆っている。第２レール２Ｂを用いることにより、書斎Ｒ３を他空間から視覚的に分離することができる。なお、第２レール２Ｂに係るカーテン本体４は出入りには使われないため、スリットを設けなくともよい。ただし、スリットを設ければ、通常の暖簾のように、少し開けて向こう側を覗くことも可能となる。当該第２レール２Ｂで開口面Ｅ４を覆うことに加え、第１レール２Ａ及び第３レール２Ｃで書斎Ｒ３に対応する部分を覆うことで、書斎Ｒ３を他空間から独立分離することができる。書斎Ｒ３にエアコンが設けられている場合、当該エアコンを書斎Ｒ３のためにのみ用いることができる。
【００４６】
図１２に示す使用態様では、第２レール２Ｂの直線部２Ｂｂ全体にカーテン本体４を設置することにより、開口面Ｅ４全体をカーテン本体４で覆っている。他の開口面はカーテン本体４で覆っていない。書斎Ｒ３を他空間から視覚的に分離することのみを目的とする場合は、開口面Ｅ４を覆うのみで十分である。
【００４７】
図１３に示す使用態様では、第１レール２Ａ、第２レール２Ｂ及び第３レール２Ｃの全てを用いて下り階段ＬＳを取り囲んでいる。具体的には、第１レール２Ａのうち、腰壁２１よりも開口面Ｅ２側の領域全体にカーテン本体４を設置することにより、開口面Ｅ３のうち下り階段ＬＳ付近の領域をカーテン本体４で覆っている。また、第２レール２Ｂの直線部２Ｂｂ全体にカーテン本体４を設置することにより、開口面Ｅ４全体をカーテン本体４で覆っている。また、第３レール２Ｃの直線部２Ｃａのうち、腰壁２１よりも開口面Ｅ２側の領域全体にカーテン本体４を設置することにより、開口面Ｅ１のうち下り階段ＬＳ付近の領域をカーテン本体４で覆っている。これにより、エアコンの負荷面積を低減することができ、下階からの熱気の拡散を防止することなどが可能となる。
【００４８】
［第三実施形態］
第二実施形態の居住空間に対して異なるレール配置を適用した場合の例を第三実施形態として、図１４を参照して説明する。図１４に示すように、レール２として一本の第４レール２Ｄのみが用いられている。レール２Ｄは、下り階段ＬＳの周りを取り囲むように延在しており、具体的には、壁部２４から延びて降口の手前を通過して腰壁２３まで延び、屈曲して腰壁２３に沿って腰壁２２まで延び、屈曲して腰壁２２に沿って腰壁２１まで延び、屈曲して腰壁２１に沿って降口の位置まで延びている。下り階段ＬＳを取り囲む場合は、収容部１５から全てのカーテン本体４を引き出して、第４レール２Ｄに沿って移動させ、下り階段ＬＳの四方の全ての直線部にカーテン本体４を配置すればよい。このように下り階段ＬＳを周回するように複数のカーテン本体４を設置する場合でも、直線部を屈曲部で連結して周回状にレール２Ｄを設けることで、最小のレール本数で一体的に階段周りを仕切ることができるのみならず、当該複数のカーテン本体４を収容する収容部１５も一箇所で済み、収納場所に過大なスペースを要しないものとなっている。
【００４９】
本発明は、上述の各実施形態に限定されない。レールの構成やカーテン本体の大きさ、帯状布体の枚数等は適用される場所や目的に応じて適宜変更可能である。例えばカーテン本体４は、気流の通過を可及的抑制することができるものであれば、透明なシート樹脂等により形成されていても構わない。この場合、カーテン本体４により空間を区画している場合でも、当該区画領域を明るくすることができるのみならず、カーテン本体４を通して向こう側を視認することができ、当該カーテン本体４を通過する際に向こうからこちらに向かう人とぶつかる等の事故を防止することができる。
【符号の説明】
【００５０】
１…間仕切りカーテン、２…レール、２Ａ…第１レール、２Ｂ…第２レール、２ａ，２ｂ…直線部、２ｃ…屈曲部、３…摺動部（摺動手段）、４…カーテン本体、６…ランナー、７…フック、１０，１０Ａ，１０Ｂ…帯状布体、１１…カバー部材、１３Ａ，１３Ｂ…面ファスナーテープ（連結部）、１５…収容部、１６…タッセル。
【図１】
2014031692.tif 000003
【図２】
2014031692.tif 000004
【図３】
2014031692.tif 000005
【図４】
2014031692.tif 000006
【図５】
2014031692.tif 000007
【図６】
2014031692.tif 000008
【図７】
2014031692.tif 000009
【図８】
2014031692.tif 000010
【図９】
2014031692.tif 000011
【図１０】
2014031692.tif 000012
【図１１】
2014031692.tif 000013
【図１２】
2014031692.tif 000014
【図１３】
2014031692.tif 000015
【図１４】
2014031692.tif 000016